(57)【要約】【課題】単一のベースキャビネットへ形式の異なるコンロユニットを任意に選択して配設できるようにし、販売時あるいは修理交換時に、顧客の要求に応じた形式のコンロユニットの選択が可能となるようにする。【解決手段】配列した複数のベースキャビネットの天板面に、抜き穴２Ａを形成したカウンタートップ２を配置し、前記抜き穴部にコンロユニット３・４を配設するようになし、前記カウンタートップ２の抜き穴部に位置するようにしたベースキャビネット１の前面上部にグリルユニット５の取付面積を基準とする開口部１Ｆを形成するとともに、前記取付面積に対応する抽斗ユニット６を前記開口部１Ｆに配設可能となるようにする。【選択図】　　図１
2004113333.tif 000002
【特許請求の範囲】
【請求項１】
配列した複数のベースキャビネットの天板面に、抜き穴を形成したカウンタートップを配置し、前記抜き穴部にコンロユニットを配設するようになし、
前記カウンタートップの抜き穴部に位置するようにしたベースキャビネットの前面上部にグリルユニットの取付面積を基準とする開口部を形成するとともに、前記取付面積に対応する抽斗ユニットを前記開口部に配設可能としたことを特徴とするベースキャビネット。
【請求項２】
配列した複数のベースキャビネットの天板面に、抜き穴を形成したカウンタートップを配置し、さらに前記抜き穴部には前面上部に開口部を形成したベースキャビネットを配置し、
前記カウンタートップの抜き穴へグリルユニットを一体化した前面操作型コンロユニットまたは平面操作型コンロユニットを互換可能に配設できるようになし、
前記平面操作型コンロユニットを配設したとき、前記ベースキャビネットの前面上部の開口部に抽斗ユニットを配設するようにしたことを特徴とするカウンターベースの構築システム。
【発明の詳細な説明】
【０００１】
【発明の属する技術分野】
本発明は、厨房設備として複数の構成部品により組み立てられるシステムキッチンに関するもので、特に、カウンターベースにおいて加熱調理を行うコンロユニットを構築する部分の改良に関するものである。
【０００２】
【従来の技術】
近年、食文化の変遷に伴い、その影響からシステムキッチンにおける加熱調理部分の機能も大きく変わりつつある。特に顕著な一例として、一般家庭において焼き物、即ち、魚類などの焼成調理の頻度が低くなる傾向にあり、殆どグリルを使用しない家庭もみられるようになってきている。
【０００３】
このような傾向から煮炊き用のバーナのみでコンロユニットを構成し、焼成調理用のグリルユニットを備えない構成のカウンターベースが提案されている。図８はこのような要求にもとづいて構成されたカウンターベースの一例を示すもので、同図において、符号１０１はカウンタートップ１０２の抜き穴部に配設されたコンロユニットであり、複数のバーナヘッド１０３を備え、このバーナヘッド１０３への着火／消火を司る操作ノブ１０４がフレームの平面上に配置された構成となっている。
【０００４】
前記バーナヘッド１０３は、グリルユニットを備える場合にはこのグリルユニット前面に配置された操作ノブにより着火／消火されるのが従来の一般的構成であるが、グリルユニットを備えない場合は、図８のごとく平面上に操作ノブ１０４が配置されたいわゆる平面操作型となる。したがって、カウンターベースの前面は構造物がなくなるため、扉板１０５Ａ・１０５Ｂのみが配設されたシンプルな外観となるとともに、併設される扉板１０６とも高さのラインが揃い、意匠的効果を向上することができた。
【０００５】
【発明が解決しようとする課題】
ところで、このように構成されたシステムキッチンにおけるコンロユニットは、その耐久年数がカウンタートップ、ベースキャビネットなどと比較して格段に短く、また、汚損が激しいため、長期にわたり美観を維持するのが甚だ困難であった。そこで、通常、早々にコンロユニットのみの交換が試みられているのであるが、この種の商品はモデルチェンジが頻繁であるため、同等の形状、形態のコンロユニットを探し求めることができなかった。
【０００６】
このような事情からコンロユニットを交換する際に、品数が豊富なグリルユニットが一体化されたいわゆる前面操作型コンロユニットへの変更を顧客から要求されることもあるが、平面操作型コンロユニットを前提に初期構成されたカウンターベースは、通常、図８のごとくベースキャビネットの前面がすべて扉板で構成されているので、構造的な対応が不可能であった。
【０００７】
本発明は、上記した不都合に鑑みなされたもので、単一のベースキャビネットにより前面操作型コンロユニットまたは平面操作型コンロユニットを互換可能に配設できるできるようにしたものであり、これにより、販売時あるいは修理交換時に、顧客の要求に応じて上記形式の異なるコンロユニットの配設が任意に可能となるようにしたものである。
【０００８】
【課題を解決するための手段】
そこで本発明は、配列した複数のベースキャビネットの天板面に、抜き穴を形成したカウンタートップを配置し、前記抜き穴部にコンロユニットを配設するようになし、前記カウンタートップの抜き穴部に位置するようにしたベースキャビネットの前面上部にグリルユニットの取付面積を基準とする開口部を形成するとともに、前記取付面積に対応する抽斗ユニットを前記開口部に配設可能となるようにしてベースキャビネットを構成する。
【０００９】
また、配列した複数のベースキャビネットの天板面に、抜き穴を形成したカウンタートップを配置し、さらに前記抜き穴部には前面上部に開口部を形成したベースキャビネットを配置し、前記カウンタートップの抜き穴へグリルユニットを一体化した前面操作型コンロユニットまたは平面操作型コンロユニットを互換可能に配設できるようになし、前記平面操作型コンロユニットを配設したとき、前記ベースキャビネットの前面上部の開口部に抽斗ユニットを配設するようにして、上記課題を解決する。
【００１０】
【発明の実施の形態】
以下、本発明の実施の形態を図にもとづいて詳細に説明する。
【００１１】
図１は、本発明によるカウンターベースの構築の概要を示す図であり、同図において符号１は本発明によるベースキャビネットを示す。そして、このベースキャビネット１は他のベースキャビネットとともに配列され、連結されて一体化されており、その天板面にカウンタートップ２が配置され、固定される。なお、このカウンタートップ２の前記ベースキャビネット１の天板面に対応する位置には、前面操作型のコンロユニット３および平面操作型のコンロユニット４のフレーム枠の外周を支持する大きさの抜き穴２Ａが形成されており、この抜き穴２Ａにコンロユニット３・４を配設したとき、その裏面がベースキャビネット１内に臨む。
【００１２】
前記コンロユニット３はバーナヘッド３Ａを主体に構成され、グリルユニット５が一体構成されている。このグリルユニット５は、魚類などを焼成調理するためのもので、その前面の外形は前記ベースキャビネット１の上部前面の開口部１Ｆに一致する。そして、このグリルユニット５は、その前面に前記コンロユニット３のバーナヘッド３Ａへの着火／消火を司る操作ノブ５Ａを備え、この操作ノブ５ａの前面からの操作が可能となるようにしている。なお、グリルユニット５における焼成調理時の煙は、排煙口３Ｂから排出される。
【００１３】
一方、コンロユニット４はバーナヘッド４Ａを設けたフレーム枠に、このバーナヘッド４Ａへの着火／消火を司る操作ノブ４Ｂを一体に備え、この操作ノブ４Ｂの平面上での操作が可能となるようにしている。
【００１４】
つぎに、ベースキャビネット１は、図２に示すごとく側板１Ａ、背板１Ｂ、底板１Ｃにより前面および天板面が開放された形態に構成されたもので、下部に抽斗ユニット１Ｄがガイドレール１Ｅに案内されて前後方向にスライド可能に取り付けられている。そして、前記抽斗ユニット１Ｄの前板上部には開口部１Ｆが形成され、前記グリルユニット５の配置、または抽斗ユニット６の取り付けが可能となるようにしている。図３はベースキャビネット１の開口部１Ｆに抽斗ユニット６を配置した状態を示すもので、抽斗ユニット６の主体部がガイドレール６Ａ・６Ｂによりベースキャビネット１の側板１Ａにスライド可能に取り付けられている。
【００１５】
図４は上記のごとくして構成されたベースキャビネット１に、コンロユニット３を配設した状態を示したもので、グリルユニット５の操作ノブ５Ａによりバーナヘッド３Ａへの着火／消火が可能となる。なお、同構成の断面の状態を図６に示す。一方、図５はベースキャビネット１に抽斗ユニット６を配設し、コンロユニット４を配設した状態を示すもので、操作ノブ４Ｂによりバーナヘッド４Ａへの着火／消火が可能となる。なお、同構成の断面の状態を図７に示す。
【００１６】
【発明の効果】
以上、詳細に説明したごとく本発明によれば、単一のベースキャビネットへ形式の異なる前面操作型あるいは平面操作型のコンロユニットを任意に選択して配設できるようにしたので、販売時あるいは修理交換時に、顧客の要求に応じた形式のコンロユニットを配設することができる。これにより、カウンターベースには全く加工を加えることなく、任意の形式のコンロユニットの配設が可能となるため、その工事費用も必要最小限とすることができ、経済的効果を大きいものとすることができる。
【図面の簡単な説明】
【図１】本発明によるカウンターベースの構築の概要を示す図である。
【図２】本発明に用いるベースキャビネットを示す図である。
【図３】抽斗ユニットの取付状態を示す図である。
【図４】本発明によるカウンターベースの構築状態を示す図である。
【図５】本発明によるカウンターベースの他の構築状態を示す図である。
【図６】図４の断面図である。
【図７】図５の断面図である。
【図８】従来のカウンターベースの構築状態の例を示す図である。
【符号の説明】
１・・・・・・ベースキャビネット
１Ａ・・・・・側板
１Ｂ・・・・・背板
１Ｃ・・・・・底板
１Ｄ・・・・・前板
１Ｅ・・・・・ガイドレール
１Ｆ・・・・・開口部
２・・・・・・カウンタートップ
２Ａ・・・・・抜き穴
３・・・・・・コンロユニット
３Ａ・・・・・バーナヘッド
３Ｂ・・・・・排煙口
４・・・・・・コンロユニット
４Ａ・・・・・バーナヘッド
４Ｂ・・・・・操作ノブ
５・・・・・・グリルユニット
５Ａ・・・・・操作ノブ
６・・・・・・抽斗ユニット
６Ａ・・・・・ガイドレール
【図１】
2004113333.tif 000003
【図２】
2004113333.tif 000004
【図３】
2004113333.tif 000005
【図４】
2004113333.tif 000006
【図５】
2004113333.tif 000007
【図６】
2004113333.tif 000008
【図７】
2004113333.tif 000009
【図８】
2004113333.tif 000010